(57)【要約】【課題】外観意匠性に優れた収納容器を扉に備えた冷蔵庫を提供する。【解決手段】貯蔵室を開閉する扉と、該扉の内面を構成する扉内面部材と、該扉内面部材の左右端部の上下方向に設けた縦縁部と、該縦縁部に左右の両端が支持された収納容器と、を備え、前記収納容器の底面から延びる仕切部によって、前記収納容器の内部空間が前記扉の厚み方向に隣接する第一収納部と第二収納部とに区画され、前記第一収納部の底面の方が、前記第二収納部の底面よりも、高い位置にあり、前記第一収納部の底面から前記第二収納部の底面に至る仕切根元部を、前記第一収納部から前記仕切部へ至る仕切接続部よりも薄肉になるようにした。【選択図】図７
2019027673.tif 000002
【特許請求の範囲】
【請求項１】
貯蔵室を開閉する扉と、該扉の内面を構成する扉内面部材と、該扉内面部材の左右端部の上下方向に設けた縦縁部と、該縦縁部に左右の両端が支持された収納容器と、を備え、
前記収納容器の底面から延びる仕切部によって、前記収納容器の内部空間が前記扉の厚み方向に隣接する第一収納部と第二収納部とに区画され、
前記第一収納部の底面の方が、前記第二収納部の底面よりも、高い位置にあり、
前記第一収納部の底面から前記第二収納部の底面に至る仕切根元部が、前記第一収納部から前記仕切部へ至る仕切接続部よりも薄肉であることを特徴とする冷蔵庫。
【請求項２】
貯蔵室を開閉する扉と、該扉の内面を構成する扉内面部材と、該扉内面部材の左右端部の上下方向に設けた縦縁部と、該縦縁部に左右の両端が支持された収納容器と、を備え、
前記収納容器の底面から延びる仕切部によって、前記収納容器の内部空間が前記扉の厚み方向に隣接する第一収納部と第二収納部とに区画され、
前記第一収納部の底面の方が、前記第二収納部の底面よりも、高い位置にあり、
前記第一収納部の底面から前記第二収納部の底面に至る仕切根元部は、前記扉の左右方向両端側よりも左右方向中央側の方が薄肉であることを特徴とする冷蔵庫。
【請求項３】
貯蔵室を開閉する扉と、該扉の内面を構成する扉内面部材と、該扉内面部材の左右端部の上下方向に設けた縦縁部と、該縦縁部に左右の両端が支持された収納容器と、を備え、
前記収納容器の底面から延びる仕切部によって、前記収納容器の内部空間が前記扉の厚み方向に隣接する第一収納部と第二収納部とに区画され、
前記第一収納部の底面の方が、前記第二収納部の底面よりも、高い位置にあり、
前記第一収納部の底面から前記第二収納部の底面に至る仕切根元部は、前記扉の左右方向中央側よりも左右方向両端側の方がなだらかに形成されていることを特徴とする冷蔵庫。
【請求項４】
前記収納容器は、前記第一収納部の底面の左右方向中央側に相当する位置から樹脂を注入して成形されることを特徴とする、請求項１乃至３のいずれかに記載の冷蔵庫。
【請求項５】
前記仕切部は、前記第一収納部の底面および前記第二収納部の底面と一体に成形されていることを特徴とする、請求項１乃至３のいずれかに記載の冷蔵庫。
【発明の詳細な説明】
【技術分野】
【０００１】
本発明は、冷蔵庫に関する。
【背景技術】
【０００２】
一般の冷蔵室扉の内側には、収納容器が上下方向に複数段配置されているが、そのうち飲料水等が置かれる最下段の収納容器の断面は、図１０−図１２のような構成となっている。
【発明の概要】
【発明が解決しようとする課題】
【０００３】
上述のような従来の収納容器を、金型を用いて成形する際には、貯蔵室側収納容器の底面１９ｂであって、扉の左右方向中央側に設けられた樹脂注入口２２から樹脂を注入する。その後、樹脂は図１０の矢印で示す向きに流れるが、仕切根元部１９ｄ２（図１１参照）は仕切接続部１９ｅと同じように肉厚となっているため、この部分において扉の左右方向に樹脂が流れ易くなる。すなわち、扉の左右方向中央側では樹脂の流速が遅くなり、固化が早くなる。このように左右方向中央側が先に固化した後、流速の速い左右方向両側が固化するため、左右方向に引っ張られるような残留応力が発生し、左右方向中央側に「ひけ」が生じる可能性がある。なお、「ひけ」とは、樹脂による金型成形の場合、樹脂が高温の液体から温度低下して硬化する際に収縮することで、表面に凹凸が現れる現象のことを指す。
【０００４】
本発明の目的は、外観意匠性及び信頼性に優れた収納容器を扉に備えた冷蔵庫を提供することにある。
【課題を解決するための手段】
【０００５】
貯蔵室を開閉する扉と、該扉の内面を構成する扉内面部材と、該扉内面部材の左右端部の上下方向に設けた縦縁部と、該縦縁部に左右の両端が支持された収納容器と、を備え、前記収納容器の底面から延びる仕切部によって、前記収納容器の内部空間が前記扉の厚み方向に隣接する第一収納部と第二収納部とに区画され、前記第一収納部の底面の方が、前記第二収納部の底面よりも、高い位置にあり、前記第一収納部の底面から前記第二収納部の底面に至る仕切根元部を、前記第一収納部から前記仕切部へ至る仕切接続部よりも薄肉になるようにした。
【発明の効果】
【０００６】
本発明によれば、外観意匠性及び信頼性に優れた収納容器を扉に備えた冷蔵庫を提供できる。
【図面の簡単な説明】
【０００７】
【図１】本発明の実施形態に係る冷蔵庫であって冷蔵室扉が開放した状態の正面図である。
【図２】本発明の実施形態に係る冷蔵室扉の貯蔵室側からの斜視図である。
【図３】図２の冷蔵室扉から収納容器を取り外した状態の斜視図である。
【図４】図３の冷蔵室扉を構成する扉内面部材の断熱空間側からの斜視図である。
【図５】本発明の実施形態に係る収納容器の斜視図である。
【図６】図５のＡ−Ａ断面図である。
【図７】図６の要部拡大図である。
【図８】本発明の実施形態に係る収納容器の底面を示す斜視図である。
【図９】図８の要部拡大図である。
【図１０】従来の収納容器における図６に相当する断面図である。
【図１１】図１０の要部拡大図である。
【図１２】従来の収納容器の底面の要部拡大図である。
【発明を実施するための形態】
【０００８】
以下、本発明の一実施形態を図１から図６に基づいて説明する。
【０００９】
図１は、本発明の実施形態に係る冷蔵庫であって冷蔵室扉が開放した状態の正面図である。
【００１０】
図１において、冷蔵庫本体１は食品の貯蔵室として上から冷蔵室２、横並びの製氷室３及び上段冷凍室４、下段冷凍室５、野菜室６の順に配置されている。そして、これらの各貯蔵室は前面の開口を閉塞するための扉２ａ、３ａ、４ａ、５ａ、６ａがそれぞれ取り付けられている。冷蔵室２の前面開口を閉塞する冷蔵室扉２ａは１枚の扉であり、冷蔵庫本体１の正面視で右側に設けたヒンジ２ｂによって回動可能に保持されている。なお、図１とは逆に冷蔵庫本体１の正面視で左側に設けた左ヒンジによって回動可能な構成であってもよい。
【００１１】
冷蔵室扉２ａ以外の扉３ａ、４ａ、５ａ、６ａは、前後方向に移動して各貯蔵室の開口を閉塞する引出し式扉となっている。これら扉２ａ〜６ａの前面は、扉前面部材である透光性部材の一例としてガラス板７で構成することで、傷が付きにくく汚れが拭き取り易い。また、ガラス板７を強化処理ガラスによって構成することで、耐久性や強度を向上できる。なお、扉前面部材はガラス板７に限らず、鋼板や樹脂によって構成してもよい。
【００１２】
図示していないが、各扉２ａ〜６ａを構成する扉内面部材２ｃとガラス板７との間に真空断熱材（図示せず）が配置されて、さらに発泡断熱材（図示せず）が充填されて断熱空間を構成している。
【００１３】
図１においては、冷蔵室扉２ａが開放状態となっている。この冷蔵室扉２ａの貯蔵室側には卵、飲料水或いは調味料等が収納できる収納容器１７、１８、１９が上下方向に複数段配置されている。
【００１４】
冷蔵室２内には、貯蔵空間を上下方向に複数段に区画して食品を載置する棚１２が配置されている。この棚１２は、冷蔵室２の内壁面を形成する内箱１ｂに形成されたレール（図示せず）上をスライドし、取り外しすることが可能である。
【００１５】
冷蔵室２の棚１２で区画された最下段の空間には、減圧状態で食品を保存することで鮮度保持する減圧室９が配置されている。また、この減圧室９の隣には、製氷室３の製氷皿（図示せず）に給水する給水タンク１０が配置されている。なお、減圧室９に代えて、チルド温度帯や氷温温度帯の貯蔵室を構成してもよい。
【００１６】
冷蔵室２の上壁には、貯蔵室内を照明する照明手段１１が取り付けられている。照明手段１１は、ＬＥＤやキセノンランプ等を採用できる。
【００１７】
冷蔵室２内の背面には、ダクト構成部材１３によって冷蔵室送風ダクト１４が形成されている。このダクト構成部材１３は、冷蔵室２の背面から前方に円弧状に張り出した形状となっており、その表面には各棚１２或いは収納容器１７、１８、１９に冷気が行き渡るように複数の冷気吹き出し口１３ａが設けられている。
【００１８】
次に、図２は、本発明の実施形態に係る冷蔵室扉の貯蔵室側からの斜視図である。図３は、図２の冷蔵室扉から収納容器を取り外した状態の斜視図である。図４は、図３の冷蔵室扉を構成する扉内面部材の断熱空間側からの斜視図である。
【００１９】
図２において、冷蔵室扉２ａは、扉内面部材２ｃとガラス板７とが枠１５によって連結されている。この扉内面部材２ｃとガラス板７との間に形成された空間には、後述する真空断熱材１６が配置されて、さらに発泡断熱材（図示せず）が充填されることで、断熱空間を構成している。
【００２０】
扉内面部材２ｃは、冷蔵室２側に突出した縦縁部２ｄを、左右端部の上下方向にそれぞれ一体に成形している。
【００２１】
収納容器１７は樹脂で一体成形した構成であり、縦縁部２ｄに左右の両端が支持されている。この収納容器１７は、冷蔵室扉２ａの幅方向に第一収納部１７ａと第二収納部１７ｂを有している。ヒンジ２ｂ（図１参照）側の第一収納部１７ａは、ヒンジ２ｂと反対側の第二収納部１７ｂより底面が高い位置となっている。換言すると、第二収納部１７ｂは、第一収納部１７ａよりも底面が低い位置となっている。これにより、第一収納部１７ａと第二収納部１７ｂで高さの異なる食品（調味料、ビン類、缶類、ペットボトル類等）を分けて収納することができるようになっている。
【００２２】
なお、収納容器１７の下方に位置する収納容器８ｃ，８ｄも、樹脂で一体成形した構成であり、左右の縦縁部２ｄに支持されている。
【００２３】
図３において、左右の縦縁部２ｄ間には、水平方向の第一の支持部２０及び第二の支持部２１が、扉内面部材２ｃの冷蔵室２側に突出してそれぞれ異なる高さ位置に形成されている。第一の支持部２０は第二の支持部２１よりも高い位置にあり、第一の支持部２０によって第一収納部１７ａ底面を支持する構成である。同様に、第二の支持部２１によって第二収納部１７ｂ底面を支持する構成である。
【００２４】
なお、第一の支持部２０と第二の支持部２１は、内部に発泡断熱材が充填される構成が好適であるが、突出寸法が５ｍｍ程度であることから、発泡断熱材が充填されなくとも断熱性能及び強度の低下は抑制できる。
【００２５】
次に、図４に基づき真空断熱材について説明する。本実施形態では、扉前面部材をガラス板７で構成した場合、ガラス板７の背面に真空断熱材１６を接着剤又は両面テープで貼り付ける。この場合、ガラス板７は剛性が高く、真空断熱材１６を貼り付けてもガラス板７は変形しない。
【００２６】
一方、扉前面部材をガラス板７ではなく、鋼板又は樹脂で構成した場合、真空断熱材１６を鋼板又は樹脂に貼り付けると、真空断熱材１６の凹凸形状が扉前面部材の外側に表れて、外観意匠性を低下させるおそれがある。そこで、扉前面部材を鋼板又は樹脂で構成する場合、真空断熱材１６を扉内面部材２ｃに貼り付けるか、扉前面部材と扉内面部材２ｃとの間に配置する構成とすれば、外観意匠性の低下を抑えられる。この場合、真空断熱材１６に対向する第一の支持部２０及び第二の支持部２１には、発泡断熱材が充填されない場合がある。しかし、既述のとおり、第一の支持部２０及び第二の支持部２１の突出寸法が５ｍｍ程度であることから、発泡断熱材が充填されなくとも断熱性能及び収納容器１７の支持強度の低下は抑制できる。
【００２７】
換言すると、発泡断熱材の流動のための空間を真空断熱材１６と扉内面部材２ｃの間に特別設ける必要がなく、第一の支持部２０及び第二の支持部２１の対向する位置と、扉内面部材２ｃの左右の縦縁部２ｄ近傍、上下端部近傍まで真空断熱材１６を配置できるため、冷蔵室扉２ａに対する真空断熱材１６の占有面積が拡大して、冷蔵室扉２の断熱性能を向上することができる。
【００２８】
本実施形態では、図５に示すように、収納容器１９の底面から延びる仕切部１９ａによって、収納容器１９の内部空間が扉の厚み方向に隣接する、貯蔵室側収納部（第一収納部）と扉側収納部（第二収納部）とに区画されている。また、図６、図７に示すように、図収納容器１９の底面には段差が形成されており、第一収納部の底面１９ｂの方が第二収納部の底面１９ｃよりも高い位置となっている。さらに、第一収納部の底面１９ｂから第二収納部の底面１９ｃに至る仕切根元部１９ｄ１を、第一収納部から仕切部１９ａへ至る仕切接続部１９ｅよりも薄肉になるようにした。
【００２９】
ここで、図６、図７は、収納容器１９の左右方向中央側である図５のＡ−Ａ断面を示すものである。一方で、収納容器１９の左右方向両端側については、第一収納部の底面１９ｂから第二収納部の底面１９ｃに至る仕切根元部１９ｄ２が、左右方向中央側よりもなだらかに形成されている。
【００３０】
このように、扉の左右方向両端側の仕切根元部１９ｄ２よりも、扉の左右方向中央側の仕切根元部１９ｄ１の方を薄肉とする理由について、以下、説明する。
【００３１】
図８に示すように、収納容器１９を成形する際、第一収納部の底面１９ｂであって左右方向中央側に相当する位置にある樹脂注入口２２から、樹脂を注入する。すると樹脂は、左右方向中央側において、第一収納部の底面１９ｂを仕切部１９ａ側に向かって流れる。ここで、本実施形態では、樹脂注入口２２に近い左右方向中心側の仕切根元部１９ｄ１が薄肉に形成されているので、この部分で流路が広くなるのを抑制でき、この部分を流れる樹脂の流動性の低下を抑制できる。その結果、左右方向中央側の仕切根元部１９ｄ１においる「ひけ」の発生を防止することが可能となる。
【００３２】
なお、仕切接続部１９ｅについても薄肉化すれば、仕切部１９ａの下部における樹脂の流動性は更に高めることも可能である。しかし、実際には、金型を抜く工程を考慮すると、仕切接続部１９ｅの箇所を薄肉化するのは困難であり、仕切根元部１９ｄ１だけを薄型化しても十分「ひけ」防止の効果がある。
【００３３】
また、収納容器１９の底面の要部拡大図である図９に示すように、左右方向中央側の仕切根元部１９ｄ１は薄肉化するものの、左右方向両端側における仕切根元部１９ｄ２は従来通り厚肉のままとしている。なお、従来は、図１２に示すように、仕切根元部１９ｄ２を左右方向に一様に肉厚で形成している。
【００３４】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能である。また、各実施例の構成の一部について、他の構成の追加・削除・置換をすることが可能である。
【符号の説明】
【００３５】
１…冷蔵庫本体、２…冷蔵室（貯蔵室）、２ａ…冷蔵室扉（扉）、２ｃ…扉内面部材、２ｄ…縦縁部、７…ガラス板（扉前面部材）、１５…枠、１６…真空断熱材、１７、１８、１９…収納容器、１９ａ…仕切部、１９ｂ…第一収納部（貯蔵室側収納部）の底面、１９ｃ…第二収納部（扉側収納部）の底面、１９ｄ…仕切根元部、１９ｅ…仕切接続部
【図１】
2019027673.tif 000003
【図２】
2019027673.tif 000004
【図３】
2019027673.tif 000005
【図４】
2019027673.tif 000006
【図５】
2019027673.tif 000007
【図６】
2019027673.tif 000008
【図７】
2019027673.tif 000009
【図８】
2019027673.tif 000010
【図９】
2019027673.tif 000011
【図１０】
2019027673.tif 000012
【図１１】
2019027673.tif 000013
【図１２】
2019027673.tif 000014